(57)【要約】【課題】この発明は、登録者が入力するデータが直感的にわかりやすい表現になっており、直接入力あるいは画面から選択することも容易になっている。【解決手段】この発明は、郵便物を仕分けるための区分指定ファイルを作成するとき、登録者が入力するのは郵便番号ではなく、仕分け先を特定する検索キー（地域名）を入力させ、この検索キーをもとにテーブル（必要に応じて複数存在する）から郵便番号を求めることを実現しているものである。【選択図】  図１
2005040700.tif 000002
【特許請求の範囲】
【請求項１】
配達物に記載の配達番号と区分先との関係を記憶する複数の区分指定テーブルを有する区分指定ファイルを備え、区分指定ファイル内の区分指定テーブルが選択されている状態で、配達物に記載の配達番号に基づいて上記区分指定テーブルから読み出される区分先に上記配達物を区分する区分装置に上記区分指定ファイルをインストールする区分指定ファイルのインストールシステムにおいて、
上記区分先を特定する検索キーに対応する複数の配達番号を記録している配達番号テーブルと、
区分先を特定する検索キーごとの区分先を設定する設定手段と、
この設定手段による検索キーに対応する複数の配達番号を上記配達番号テーブルから読出す読出手段と、
上記設定手段により設定された区分先と上記読出手段により読出された複数の配達番号からなる区分指定テーブルを生成する生成手段と、
この生成手段により生成された複数の区分指定テーブルを有する区分指定ファイルを上記区分装置へインストールするインストール手段と、
を具備したことを特徴とする区分指定ファイルのインストールシステム。
【請求項２】
配達物に記載の配達番号と区分先との関係を記憶する複数の区分指定テーブルを有する区分指定ファイルを備え、区分指定ファイル内の区分指定テーブルが選択されている状態で、配達物に記載の配達番号に基づいて上記区分指定テーブルから読み出される区分先に上記配達物を区分する区分装置に上記区分指定ファイルをインストールする区分指定ファイルのインストールシステムにおいて、
上記配達局名に対応する配達局が管轄する複数の配達番号を記録している配達番号テーブルと、
配達局名ごとの区分先を設定する設定手段と、
この設定手段により設定された配達局名に対応する複数の配達番号を上記配達番号テーブルから読出す読出手段と、
上記設定手段による区分先と上記読出手段により読出された複数の配達番号からなる区分指定テーブルを生成する生成手段と、
この生成手段により生成された複数の区分指定テーブルを有する区分指定ファイルを上記区分装置へインストールするインストール手段と、
を具備したことを特徴とする区分指定ファイルのインストールシステム。
【請求項３】
配達物に記載の配達番号と区分先との関係を記憶する複数の区分指定テーブルを有する区分指定ファイルを備え、区分指定ファイル内の区分指定テーブルが選択されている状態で、配達物に記載の配達番号に基づいて上記区分指定テーブルから読み出される区分先に上記配達物を区分する区分装置に上記区分指定ファイルをインストールする区分指定ファイルのインストールシステムにおいて、
上記複数の配達局をまとめたグループごとに、各グループに属する全ての配達局が管轄する複数の配達番号を記録している配達番号テーブルと、
上記グループごとの区分先を設定する設定手段と、
この設定手段によるグループに属する全ての配達局が管轄する複数の配達番号を上記配達番号テーブルから読出す読出手段と、
上記設定手段により設定された区分先と上記読出手段により読出された複数の配達番号からなる区分指定テーブルを生成する生成手段と、
この生成手段により生成された複数の区分指定テーブルを有する区分指定ファイルを上記区分装置へインストールするインストール手段と、
を具備したことを特徴とする区分指定ファイルのインストールシステム。
【請求項４】
配達物に記載の配達番号と区分先との関係を記憶する複数の区分指定テーブルを有する区分指定ファイルを備え、区分指定ファイル内の区分指定テーブルが選択されている状態で、配達物に記載の配達番号に基づいて上記区分指定テーブルから読み出される区分先に上記配達物を区分する区分装置に上記区分指定ファイルをインストールする区分指定ファイルのインストールシステムにおいて、
上記配達局名に対応する少なくとも１つの要素に基づく複数の配達番号を記録している配達番号テーブルと、
配達物の区分先ごとの少なくとも１つの要素を設定する設定手段と、
この設定手段による要素に対応する複数の配達番号を上記配達番号テーブルから読出す読出手段と、
上記設定手段により設定された区分先と上記読出手段により読出された複数の配達番号からなる区分指定テーブルを生成する生成手段と、
この生成手段により生成された複数の区分指定テーブルを有する区分指定ファイルを上記区分装置へインストールするインストール手段と、
を具備したことを特徴とする区分指定ファイルのインストールシステム。
【請求項５】
配達物に記載の配達番号と区分先との関係を記憶する複数の区分指定テーブルを有する区分指定ファイルを備え、区分指定ファイル内の区分指定テーブルが選択されている状態で、配達物に記載の配達番号に基づいて上記区分指定テーブルから読み出される区分先に上記配達物を区分する区分装置に上記区分指定ファイルをインストールするものにおいて、
区分先を特定する検索キーごとの区分先を設定する設定工程と、
この設定工程による検索キーに対応する複数の配達番号を、上記区分先を特定する検索キーに対応する複数の配達番号を記録している配達番号テーブルから読出す読出工程と、
上記設定工程により設定された区分先と上記読出工程により読出された複数の配達番号からなる区分指定テーブルを生成する生成工程と、
この生成工程により生成された複数の区分指定テーブルを有する区分指定ファイルを上記区分装置へインストールするインストール工程と、
を有する区分指定ファイルのインストール方法。
【発明の詳細な説明】
【０００１】
【発明の属する技術分野】
この発明は、配達物としての郵便物に記載の郵便（配達）番号と区分先との関係を記憶する複数の区分指定テーブルを有する区分指定ファイルを備え、区分指定ファイル内の区分指定テーブルが選択されている状態で、郵便物に記載の郵便番号に基づいて上記区分指定テーブルから読み出される区分先に上記郵便物を区分する区分装置に上記区分指定ファイルをインストールする区分指定ファイルのインストールシステムと仕分け先ファイルのインストール方法に関する。
【０００２】
【従来の技術】
配達物（仕分け物）としての郵便物上の郵便番号（数字列、バーコード）を光学的に読み取って郵便物を区分する郵便物宛名自動読取区分装置が実用化されている。このような装置では、郵便番号を検索キーとして、区分指定テーブルから検索キーと一致する都道府県名・市区郡町村名・市外局番（住所）を求めている。この得られた住所に対する区分ポケットへの区分指定が行われている。
【０００３】
上記検索キーは郵便番号と限定されており、その他の検索キーを設定したり、郵便番号キーと混在させて使うことができないという欠点があった。
また、検索キーに基づいてテーブルから得られたデータがすべて反映されるようになっている。
また、市内特別郵便などの取り扱いを受けるためには、郵便局単位に郵便物を仕分ける必要がある。
【０００４】
このように郵便局単位に郵便物を仕分ける時に、従来は、区分指定テーブルに、郵便物格納先とその郵便局が管轄する郵便番号をすべて入力させる必要があった。このため、登録者は該当する郵便局が管理する郵便番号を把握した上で、すべて入力する必要があり、入力効率が悪く、登録ミスなどが発生する可能性がある。また、登録者が複数存在する場合には、その登録者全員に対して一定水準のスキルが要求されていた。
【０００５】
さらに、複数郵便局を１つにまとめたグループという概念を導入した場合において、従来、同じグループに属する郵便局を１つの場所へ仕分ける必要がある時には、区分指定テーブル上で仕分先単位に、同じグループに属する郵便番号をすべて登録することで実現していた。たとえば、グループとして北海道、東北といった地域別グループを作成する。東京から、北海道や九州の各郵便局へ郵便物を仕分ける時に、まず北海道や九州といったグループ単位に仕分ける時に、区分指定テーブル上で、格納先単位にグループへ属するすべての郵便局が管轄する郵便番号を登録する必要がある。
【０００６】
【発明が解決しようとする課題】
この発明は、配達物に記載の配達番号と区分先との関係を記憶する複数の区分指定テーブルを有する区分指定ファイルを備え、区分指定ファイル内の区分指定テーブルが選択されている状態で、配達物に記載の配達番号に基づいて上記区分指定テーブルから読み出される区分先に上記配達物を区分する区分装置に上記区分指定ファイルをインストールするものにおいて、入力効率が向上し、登録データの正確性が向上することを目的としている。
【０００７】
【課題を解決するための手段】
この発明の区分指定ファイルのインストールシステムは、配達物に記載の配達番号と区分先との関係を記憶する複数の区分指定テーブルを有する区分指定ファイルを備え、区分指定ファイル内の区分指定テーブルが選択されている状態で、配達物に記載の配達番号に基づいて上記区分指定テーブルから読み出される区分先に上記配達物を区分する区分装置に上記区分指定ファイルをインストールするものにおいて、上記区分先を特定する検索キーに対応する複数の配達番号を記録している配達番号テーブルと、区分先を特定する検索キーごとの区分先を設定する設定手段と、この設定手段による検索キーに対応する複数の配達番号を上記配達番号テーブルから読出す読出手段と、上記設定手段により設定された区分先と上記読出手段により読出された複数の配達番号からなる区分指定テーブルを生成する生成手段と、この生成手段により生成された複数の区分指定テーブルを有する区分指定ファイルを上記区分装置へインストールするインストール手段とを有する。
【０００８】
この発明の区分指定ファイルのインストールシステムは、配達物に記載の配達番号と区分先との関係を記憶する複数の区分指定テーブルを有する区分指定ファイルを備え、区分指定ファイル内の区分指定テーブルが選択されている状態で、配達物に記載の配達番号に基づいて上記区分指定テーブルから読み出される区分先に上記配達物を区分する区分装置に上記区分指定ファイルをインストールするものにおいて、上記配達局名に対応する配達局が管轄する複数の配達番号を記録している配達番号テーブルと、配達局名ごとの区分先を設定する設定手段と、この設定手段により設定された配達局名に対応する複数の配達番号を上記配達番号テーブルから読出す読出手段と、配達番号からなる区分指定テーブルを生成する生成手段と、この生成手段により生成された複数の区分指定テーブルを有する区分指定ファイルを上記区分装置へインストールするインストール手段とを有する。
【０００９】
【発明の実施の形態】
以下、この発明の実施の形態について図面を参照して説明する。図１は、この発明の区分指定ファイルのインストールシステムに用いられる区分装置１と区分装置コントローラ２の外観を示す概略図である。区分装置１と区分装置コントローラ２とは回線３により接続されている。
【００１０】
区分装置１は、配達物（郵便物）に記載の配達番号（郵便番号）と区分先との関係を記憶する複数の区分指定テーブルを有する区分指定ファイルを備え、区分指定ファイル内の区分指定テーブルが選択されている状態で、配達物に記載の配達番号に基づいて上記区分指定テーブルから読み出される区分先に上記配達物を区分するものである。この区分装置１は、図１に示すように、供給部４、取り出し部５、郵便番号読取部６、段パス部７、区分箱８、操作パネル９により構成されている。
【００１１】
すなわち、供給部４に供給された郵便物は、取り出し部５から１通ずつ取り出される。取り出し部５により取り出された郵便物は、郵便物の長さ・取り出しのピッチなどが検知され（取り出し状態のチェック）、バーコード読取部６でのバーコードの読み取りに影響する郵便物は搬送姿勢不良集積部（図示せず）に集積される。バーコード読取部３でのバーコードの読み取りに影響しない郵便物（通常の郵便物）は、バーコード読取部６に送られる。バーコード読取部６は、郵便物の表面に記録されたバーコード（宛先情報）を読取る。また、バーコードが読取られた郵便物には、区分先情報が付与され、段パス部７で分岐され、目的の区分箱８に区分される。
【００１２】
また、上記区分装置１を、民間向けとして想定する場合には、郵便物Ｐを郵便局単位に仕分けることで、市内特別郵便などの割引制度を適用することが可能である。
上記区分装置コントローラ２は、区分装置１に区分指定ファイルをインストールするものであり、パーソナルコンピュータ（ＰＣ）等により構成されている。
【００１３】
すなわち、上記区分装置コントローラ２は、図２に示すように、全体を制御する制御部１１、制御プログラムが格納されているＲＯＭ１２、データ記憶用のメモリ（不揮発性メモリ）１３、種々の条件を入力する入力部１４ａと表示部１４ｂとを有する操作パネル１４、通信インターフェースとしてのモデム１５により構成されている。
上記メモリ１３には、検索キーの種類ごとに異なるテーブルが設けられ、予め保守員等により更新されるようになっている。
【００１４】
たとえば、検索キーの種類が郵便局名の場合に用いる郵便局名テーブル１３ａ、検索キーの種類がグループ名の場合に用いるグループ名テーブル１３ｂ、検索キーの種類が会社名の場合に用いる会社名テーブル１３ｃ、検索キーの種類が地域名の場合に用いる地域名テーブル１３ｄ、要素−郵便番号テーブル１３ｅなどが登録されている。
【００１５】
郵便局名テーブル１３ａには、図３に示すように、郵便局名ごとの郵便番号が登録されている。たとえば、「Ａ郵便局」に対して郵便番号「１２２」「１２３０１」「１２３０２」が登録されており、「Ｂ郵便局」に対して郵便番号「１２４」「１２３０５」「１２３０６」「１２３０７」が登録されており、「Ｃ郵便局」に対して郵便番号「１２５」が登録されている。
【００１６】
グループ名テーブル１３ｂには、図４に示すように、グループ名ごとの郵便局名が登録されている。
会社名テーブル１３ｃには、図５に示すように、会社名ごとの郵便番号が登録されている。
地域名テーブル１３ｄには、図６に示すように、地域名ごとの郵便番号が登録されている。たとえば、地域名「川崎中央」に対して郵便番号「２１０」「２１２」が登録されており、地域名「東京中央」に対して郵便番号「１００」が登録されている。
【００１７】
要素−郵便番号テーブル１３ｅには、図７に示すように、要素ごとの郵便番号が登録されている。たとえば、「Ａ郵便局の要素Ｐ」に対して郵便番号「１２２」「１２３０１」「１２３０２」が登録されており、「Ａ郵便局の要素Ｑ」に対して郵便番号「１２４」「１２３０５」「１２３０６」「１２３０７」が登録されており、「Ｂ郵便局の要素Ｒ」に対して郵便番号「１２５」が登録されている。
上記した構成において、以下に示す実施形態を説明する。
【００１８】
（第１の実施形態）
まず、第１の実施形態として地域名による区分先登録処理を、図８に示すフローチャートと、図９に示す状態変化図を参照しつつ説明する。
すなわち、登録者はＰＣ２の操作部１４により、区分指定登録モードを設定し、検索キーとして地域名を選択し、区分装置１上における郵便物格納先（区分される区分箱８の番号）、および検索キーとしての地域名を入力する（ＳＴ１）。この入力により、制御部１１は地域名テーブル１３ｄの利用を判断し（ＳＴ１０）、この地域名テーブル１３ｄを用いて入力された地域名に対応する郵便番号を抽出し（ＳＴ２、３）（ＳＴ１１、１２）、この抽出した郵便番号と上記郵便物格納先とを対応した区分指定テーブル１３ｇを生成する（ＳＴ４）。
【００１９】
たとえば、図６に示すように、郵便物格納先として「Ａ１０」、地域名として「川崎中央」が入力された場合、「川崎中央」に対する郵便番号「２１０」「２１２」が地域名テーブル１３ｄから検索され、郵便物格納先「Ａ１０」と郵便番号「２１０」「２１２」が対応した区分指定テーブルが生成される。
【００２０】
この際、制御部１１はその生成された区分指定テーブル１３ｇを表示部１４ｂにより表示する。この表示内容は、登録者が入力した“川崎中央”を、検索結果の郵便番号“２１０，２１２”に置き換えて表示したものとなっている。
以後、同様に、種々の区分指定テーブル１３ｇ、…を生成し、この複数の区分指定テーブル１３ｂ、…からなる区分指定ファイルを生成する（ＳＴ５）。
【００２１】
この後、登録者がＰＣ２の操作部１４により、区分指定登録モードの終了を指示する。この指示により、制御部１１は生成した複数の区分指定テーブル１３ｇ、…からなる区分指定ファイルを区分装置１のメモリ（図示しない）にインストールする（ＳＴ６）。
この結果、インストールされた区分指定ファイルが区分装置１へ反映される。たとえば、郵便番号２１０、２１２の郵便物はＡ１０の区分箱８へ格納される。
【００２２】
上記したように、郵便物を仕分けるための区分指定ファイルを作成するとき、登録者が入力するのは郵便番号ではなく、仕分け先を特定する検索キー（地域名）を入力させ、この地域名をもとに地域名テーブルから郵便番号を求めることを実現している。これにより、入力効率と登録データの正確性向上、および登録者に求められるスキル低減などが期待できる。
【００２３】
さらに、登録者により直感的にわかりやすい検索キーを利用することで、入力効率向上や登録ミス低減が期待できる。この検索キーは、グループ概念を導入していくつかの検索キーをまとめて表現することもできる。また、条件を設定することで、登録されるものが条件を満たすものだけに限定することができる。
【００２４】
（第２の実施形態）
第２の実施形態として郵便局名による区分先登録処理を、図７に示すフローチャートと、図１０に示す状態変化図を参照しつつ説明する。
【００２５】
すなわち、市内特別郵便などの取り扱いを受けるためには、郵便局単位に郵便物を仕分ける必要がある。
このように、郵便局単位に仕分けたい時、登録者はＰＣ２の操作部１４により、区分指定登録モードを設定し、検索キーとして郵便局名を選択し、区分装置１上における郵便物格納先（仕分け先、区分される区分箱８の番号）、および検索キーとしての郵便局名を入力する（ＳＴ２１）。この入力により、郵便局名テーブル１３ａの利用を判断し（ＳＴ１０）、この郵便局名テーブル１３ａを用いて入力された郵便局名に対応する郵便番号を抽出し（ＳＴ２２、２３）（ＳＴ１１、１２）、この抽出した郵便番号と上記郵便物格納先とを対応した区分指定テーブル１３ｇを生成する（ＳＴ２４）。
【００２６】
たとえば、図１０に示すように、郵便物格納先として「仕分け先１」、検索キー（郵便局名）として「Ａ郵便局」が入力された場合、「Ａ郵便局」に対する郵便番号「１２２」「１２３０１」「１２３０２」が郵便局名テーブル１３ａから検索され、郵便物格納先「仕分け先１」と郵便番号「１２２」「１２３０１」「１２３０２」が対応した区分指定テーブルが生成される。
【００２７】
また、郵便物格納先として「仕分け先２」、検索キー（郵便局名）として「Ｂ郵便局」が入力された場合、「Ｂ郵便局」に対する郵便番号「１２４」「１２３０５」「１２３０６」「１２３０７」が郵便局名テーブル１３ａから検索され、郵便物格納先「仕分け先２」と郵便番号「１２４」「１２３０５」「１２３０６」「１２３０７」が対応した区分指定テーブルが生成される。
【００２８】
さらに、郵便物格納先として「仕分け先３」、検索キー（郵便局名）として「Ｃ郵便局」が入力された場合、「Ｃ郵便局」に対する郵便番号「１２５」が郵便局名テーブル１３ａから検索され、郵便物格納先「仕分け先３」と郵便番号「１２５」が対応した区分指定テーブルが生成される。
【００２９】
この際、制御部１１はその生成された区分指定テーブル１３ｇを表示部１４ｂにより表示する。この表示内容は、登録者が入力した“Ａ郵便局”を、検索結果の郵便番号“１２２、１２３０１、１２３０２”に置き換えて表示し、“Ｂ郵便局”を、検索結果の郵便番号“１２４、１２３０５、１２３０６、１２３０７”に置き換えて表示し、“Ｃ郵便局”を、検索結果の郵便番号“１２５”に置き換えて表示したものとなっている。
以後、同様に、種々の区分指定テーブル１３ｇ、…を生成し、この複数の区分指定テーブル１３ｇ、…からなる区分指定ファイルを生成する（ＳＴ２５）。
【００３０】
この後、登録者がＰＣ２の操作部１４により、区分指定登録モードの終了を指示する。この指示により、制御部１１は生成した複数の区分指定テーブル１３ｇ、…からなる区分指定ファイルを区分装置１のメモリ（図示しない）にインストールする（ＳＴ２６）。
【００３１】
この結果、インストールされた区分指定ファイルが区分装置１へ反映される。たとえば、郵便番号“１２２、１２３０１、１２３０２”の郵便物は仕分け先１の区分箱８へ格納される。郵便番号“１２４、１２３０５、１２３０６、１２３０７”の郵便物は仕分け先２の区分箱８へ格納される。郵便番号“１２５”の郵便物は仕分け先３の区分箱８へ格納される。
【００３２】
上記したように、郵便物を仕分けるための区分指定ファイルを作成するとき、登録者が入力するのは郵便番号ではなく、仕分け先を特定する検索キー（郵便局名）を入力させ、この郵便局名をもとに郵便局名テーブルから郵便番号を求めることを実現している。これにより、入力効率と登録データの正確性向上、および登録者に求められるスキル低減などが期待できる。
【００３３】
すなわち、予め、郵便局単位に管轄する郵便番号をテーブルに登録し、登録者に郵便局名等を入力させることによって、登録者が該当する郵便局に属する郵便番号を知らなくても登録することが可能である。
【００３４】
（第３の実施形態）
第３の実施形態として第２の実施形態から郵便局の統廃合により管轄する郵便番号が変更となった場合の、郵便局名による区分先登録処理を、図７に示すフローチャートと、図１１に示す状態変化図を参照しつつ説明する。この場合、郵便局名テーブル１３ａは図１２に示すように、「Ａ郵便局」に対して郵便番号「１２２」「１２３０１」が変更登録されており、「Ｂ郵便局」に対して郵便番号「１２４」「１２３０５」「１２３０６」が登録されており、「Ｃ郵便局」に対して郵便番号「１２５」が登録されており、「Ｄ郵便局」に対して郵便番号「１２５」「１２３０２」「１２３０７」が変更登録されている。
【００３５】
局名テーブル１３ａでは、Ｄ郵便局が追加されて、１２３０２（今まではＡ郵便局）、１２３０７（今まではＢ郵便局）がＤ郵便局へ移動されている。
すなわち、登録者はＰＣ２の操作部１４により、区分指定登録モードを設定し、検索キーとして郵便局名を選択し、区分装置１上における郵便物格納先（仕分け先、区分される区分箱８の番号）、および検索キーとしての郵便局名を入力する（ＳＴ２１）。この入力により、制御部１１は郵便局名テーブル１３ａの利用を判断し（ＳＴ１０）、この郵便局名テーブル１３ａを用いて入力された郵便局名に対応する郵便番号を抽出し（ＳＴ２２、２３）（ＳＴ１１、１２）、この抽出した郵便番号と上記郵便物格納先とを対応した区分指定テーブル１３ｇを生成する（ＳＴ２４）。
【００３６】
たとえば、図１１に示すように、郵便物格納先として「仕分け先１」、検索キー（郵便局名）として「Ａ郵便局」が入力された場合、「Ａ郵便局」に対する郵便番号「１２２」「１２３０１」が郵便局名テーブル１３ａから検索され、郵便物格納先「仕分け先１」と郵便番号「１２２」「１２３０１」が対応した区分指定テーブルが生成される。
【００３７】
また、郵便物格納先として「仕分け先２」、検索キー（郵便局名）として「Ｂ郵便局」が入力された場合、「Ｂ郵便局」に対する郵便番号「１２４」「１２３０５」「１２３０６」が郵便局名テーブル１３ａから検索され、郵便物格納先「仕分け先２」と郵便番号「１２４」「１２３０５」「１２３０６」が対応した区分指定テーブルが生成される。
さらに、郵便物格納先として「仕分け先３」、検索キー（郵便局名）として「Ｃ郵便局」が入力された場合、「Ｃ郵便局」に対する郵便番号「１２５」が郵便局名テーブル１３ａから検索され、郵便物格納先「仕分け先３」と郵便番号「１２５」が対応した区分指定テーブルが生成される。
【００３８】
さらに、郵便物格納先として「仕分け先４」、検索キー（郵便局名）として「Ｄ郵便局」が入力された場合、「Ｄ郵便局」に対する郵便番号「１２６」「１２３０２」「１２３０７」が郵便局名テーブル１３ａから検索され、郵便物格納先「仕分け先４」と郵便番号「１２６」「１２３０２」「１２３０７」が対応した区分指定テーブルが生成される。
【００３９】
この際、制御部１１はその生成された区分指定テーブル１３ｇを表示部１４ｂにより表示する。この表示内容は、登録者が入力した“Ａ郵便局”を、検索結果の郵便番号“１２２、１２３０１”に置き換えて表示し、“Ｂ郵便局”を、検索結果の郵便番号“１２４、１２３０５、１２３０６”に置き換えて表示し、“Ｃ郵便局”を、検索結果の郵便番号“１２５”に置き換えて表示し、“Ｄ郵便局”を、検索結果の郵便番号“１２６、１２３０２、１２３０７”に置き換えて表示したものとなっている。
【００４０】
以後、同様に、種々の区分指定テーブル１３ｇ、…を生成し、この複数の区分指定テーブル１３ｇ、…からなる区分指定ファイルを生成する（ＳＴ２５）。  この後、登録者がＰＣ２の操作部１４により、区分指定登録モードの終了を指示する。この指示により、制御部１１は生成した複数の区分指定テーブル１３ｇ、…からなる区分指定ファイルを区分装置１のメモリ（図示しない）にインストールする（ＳＴ２６）。
この結果、インストールされた区分指定ファイルが区分装置１へ反映される。たとえば、郵便番号“１２２、１２３０１”の郵便物は仕分け先１の区分箱８へ格納される。郵便番号“１２４、１２３０５、１２３０６”の郵便物は仕分け先２の区分箱８へ格納される。郵便番号“１２５”の郵便物は仕分け先３の区分箱８へ格納される。郵便番号“１２６、１２３０２、１２３０７”の郵便物は仕分け先４の区分箱８へ格納される。
【００４１】
上記したように、郵便物を仕分けるための区分指定ファイルを作成するとき、登録者が入力するのは郵便番号ではなく、仕分け先を特定する検索キー（郵便局名）を入力させ、この郵便局名をもとに郵便局名テーブルから郵便番号を求めることを実現している。これにより、入力効率と登録データの正確性向上、および登録者に求められるスキル低減などが期待できる。
【００４２】
さらに、郵便局統廃合などにより管轄する郵便番号が変更になった場合でも、登録者は管轄する郵便番号が変更になったことを知っている必要はなく、郵便番号テーブルさえ、正しく変更されていれば、区分指定テーブル上は正しく反映される。
（第４の実施形態）（グループ概念による仕分け先登録、“関東”地域のような複数郵便局がまとまったグループ概念）
第４の実施形態として郵便局を複数まとめたグループ名による区分先登録処理を、図７に示すフローチャートと、図１３に示す状態変化図を参照しつつ説明する。
【００４３】
すなわち、登録者はＰＣ２の操作部１４により、区分指定登録モードを設定し、検索キーとしてグループ名を選択し、区分装置１上における郵便物格納先（仕分け先、区分される区分箱８の番号）、および検索キーとしてのグループ名を入力する（ＳＴ３１）。この入力により、制御部１１はグループ名テーブル１３ｂの利用を判断し（ＳＴ１０）、このグループ名テーブル１３ｂを用いて入力されたグループ名に対応する郵便局名を抽出し（ＳＴ３２、３３）（ＳＴ１１、１２）、さらに郵便局名テーブル１３ａを用いて抽出された郵便局名に対応する郵便番号を抽出し（ＳＴ３４）（ＳＴ１３、１０、１１、１２）、この抽出した郵便番号と上記郵便物格納先とを対応した区分指定テーブル１３ｇを生成する（ＳＴ３５）。
【００４４】
たとえば、図１３に示すように、郵便物格納先として「仕分け先１」、検索キー（グループ名）として「グループＸ」が入力された場合、「仕分け先１」に対する郵便局名「Ａ郵便局」「Ｂ郵便局」がグループ名テーブル１３ｂから検索され、「Ａ郵便局」「Ｂ郵便局」に対する郵便番号「１２２」「１２３０１」「１２３０２」「１２４」「１２３０５」「１２３０６」「１２３０７」が郵便局名テーブル１３ａから検索され、郵便物格納先「仕分け先１」と郵便番号「１２２」「１２３０１」「１２３０２」「１２４」「１２３０５」「１２３０６」「１２３０７」が対応した区分指定テーブルが生成される。
【００４５】
また、郵便物格納先として「仕分け先２」、検索キー（グループ名）として「グループＹ」が入力された場合、「仕分け先２」に対する郵便局名「Ｃ郵便局」「Ｄ郵便局」がグループ名テーブル１３ｂから検索され、「Ｃ郵便局」「Ｄ郵便局」に対する郵便番号「１２５」、…が郵便局名テーブル１３ａから検索され、郵便物格納先「仕分け先２」と郵便番号「１２５」が対応した区分指定テーブルが生成される。
【００４６】
この際、制御部１１はその生成された区分指定テーブル１３ｇを表示部１４ｂにより表示する。この表示内容は、登録者が入力した“グループＸ”を、検索結果の郵便番号“１２２、１２３０１、１２３０２、１２４、１２３０５、１２３０６、１２３０７”に置き換えて表示し、“グループＹ”を、検索結果の郵便番号“１２５、…”に置き換えて表示したものとなっている。
【００４７】
以後、同様に、種々の区分指定テーブル１３ｇ、…を生成し、この複数の区分指定テーブル１３ｇ、…からなる区分指定ファイルを生成する（ＳＴ３６）。  この後、登録者がＰＣ２の操作部１４により、区分指定登録モードの終了を指示する。この指示により、制御部１１は生成した複数の区分指定テーブル１３ｇ、…からなる区分指定ファイルを区分装置１のメモリ（図示しない）にインストールする（ＳＴ３７）。
【００４８】
この結果、インストールされた区分指定ファイルが区分装置１へ反映される。たとえば、郵便番号“１２２、１２３０１、１２３０２、１２４、１２３０５、１２３０６、１２３０７”の郵便物は仕分け先１の区分箱８へ格納される。郵便番号“１２５”の郵便物は仕分け先２の区分箱８へ格納される。
【００４９】
上記したように、郵便物を仕分けるための区分指定ファイルを作成するとき、登録者が入力するのは郵便番号ではなく、仕分け先を特定する検索キー（グループ名）を入力させ、このグループ名をもとにグループ名テーブルから郵便局名を求め、この郵便局名をもとに郵便局名テーブルから郵便番号を求めることを実現している。これにより、入力効率と登録データの正確性向上、および登録者に求められるスキル低減などが期待できる。
【００５０】
すなわち、“関東”地域のような複数郵便局がまとまったグループ概念を導入し、このグループが登録されれば、このグループに属する郵便局、さらに郵便局が管理する郵便番号と求めることが可能になり、最終的にグループ名から郵便番号をすべて網羅して求めることができる。
【００５１】
（第５の実施形態）（サブグループ概念による仕分け先登録）
第５の実施形態として郵便局を複数の要素としての郵便番号群に分解し、この要素による区分先登録処理を、図７に示すフローチャートと、図１４に示す状態変化図を参照しつつ説明する。
【００５２】
すなわち、登録者はＰＣ２の操作部１４により、区分指定登録モードを設定し、検索キーとして要素を選択し、区分装置１上における郵便物格納先（仕分け先、区分される区分箱８の番号）、および検索キーとしての要素を入力する（ＳＴ４１）。この入力により、制御部１１は要素−郵便番号テーブル１３ｅの利用を判断し（ＳＴ１０）、この要素−郵便番号テーブル１３ｅを用いて入力された要素に対応する郵便番号を抽出し（ＳＴ４２、４３）（ＳＴ１３、１０、１１、１２）、この抽出した郵便番号と上記郵便物格納先とを対応した区分指定テーブル１３ｇを生成する（ＳＴ４４）。
【００５３】
たとえば、図１４に示すように、郵便物格納先として「仕分け先１」、検索キー（要素）として「要素Ｐ、Ｒ」が入力された場合、「要素Ｐ、Ｒ」に対する郵便番号「１２２」「１２３０１」「１２３０２」「１２４」「１２３０５」「１２３０６」「１２３０７」が要素−郵便番号テーブル１３ｅから検索され、郵便物格納先「仕分け先１」と郵便番号「１２２」「１２３０１」「１２３０２」「１２４」「１２３０５」「１２３０６」「１２３０７」が対応した区分指定テーブルが生成される。
【００５４】
また、郵便物格納先として「仕分け先２」、検索キー（グループ名）として「要素Ｑ」が入力された場合、「仕分け先２」に対する郵便番号「１２５」、…が要素−郵便番号テーブル１３ｅから検索され、郵便物格納先「仕分け先２」と郵便番号「１２５」が対応した区分指定テーブルが生成される。
【００５５】
この際、制御部１１はその生成された区分指定テーブル１３ｇを表示部１４ｂにより表示する。この表示内容は、登録者が入力した“要素Ｐ、Ｒ”を、検索結果の郵便番号“１２２、１２３０１、１２３０２、１２４、１２３０５、１２３０６、１２３０７”に置き換えて表示し、“要素Ｑ”を、検索結果の郵便番号“１２５、…”に置き換えて表示したものとなっている。
【００５６】
以後、同様に、種々の区分指定テーブル１３ｇ、…を生成し、この複数の区分指定テーブル１３ｇ、…からなる区分指定ファイルを生成する（ＳＴ４５）。  この後、登録者がＰＣ２の操作部１４により、区分指定登録モードの終了を指示する。この指示により、制御部１１は生成した複数の区分指定テーブル１３ｇ、…からなる区分指定ファイルを区分装置１のメモリ（図示しない）にインストールする（ＳＴ４６）。
【００５７】
この結果、インストールされた区分指定ファイルが区分装置１へ反映される。たとえば、郵便番号“１２２、１２３０１、１２３０２、１２４、１２３０５、１２３０６、１２３０７”の郵便物は仕分け先１の区分箱８へ格納される。郵便番号“１２５”の郵便物は仕分け先２の区分箱８へ格納される。
【００５８】
上記したように、郵便物を仕分けるための区分指定ファイルを作成するとき、登録者が入力するのは郵便番号ではなく、仕分け先を特定する検索キー（要素）を入力させ、この要素をもとに郵便局名テーブルから郵便番号を求めることを実現している。これにより、入力効率と登録データの正確性向上、および登録者に求められるスキル低減などが期待できる。
【００５９】
（第６の実施形態）
第６の実施形態として、たとえば、市内特別郵便として割引制度を受けるためには、郵便局単位に一定通数を越えていなければならないのに対して、一定通数を越えていないものについては、郵便局単位に管理せず、その他の格納先へまとめて管理するようにしても良い。
この場合の区分先登録処理を、図１５に示すフローチャートを参照しつつ説明する。ただし、図８のフローチャートと同一部分については、同一符号を付し説明を省略する。
【００６０】
すなわち、登録者はＰＣ２の操作部１４により、区分指定登録モードを設定し、検索キーとして郵便局名を選択し、区分装置１上における郵便物格納先（仕分け先、区分される区分箱８の番号）、および検索キーとしての郵便局名を入力する。
また、登録者は無効なキーや郵便局名と格納先を入力する。
そして、ステップ１２により、郵便番号が特定された際に、条件に反する郵便番号を求め（ＳＴ１４）、この求めた郵便番号が無効か否かを判断し（ＳＴ１５）、郵便番号が無効と判断された際に、該当する郵便番号を上記テーブルから削除する（ＳＴ１６）。
【００６１】
すなわち、一定通数を越えていないものは、郵便局単位に管理せず、その他の格納先へまとめて管理する。区分指定登録モード時のシステム画面上で、郵便局単位に格納先を指定し、さらに一定条件を満たさないものをその他として、格納先を確保する。これにより、予め条件として、無効なキーや郵便局をテーブル等に登録しておく。郵便番号検索フロー（図１５）において、検索キーに対応する郵便番号が求められた時（ＳＴ１２）、このテーブルから条件に対応する郵便番号を特定する（ＳＴ１４）。そして、郵便局名等を検索キーとして求められた郵便番号に、この条件に該当する郵便番号が存在するかをチェックする（ＳＴ１５）。もし存在すれば、その郵便番号を取り除いたものを（ＳＴ１６）、郵便番号検索結果として出力する。
取り除かれた郵便番号は、区分指定登録システム画面上で予め確保された格納先へ登録される。
【００６２】
上記した各実施形態によれば、入力効率と登録データの正確性向上は従来と同じであるが、入力項目をより直感的にわかりやすい表現にすることで登録を容易にさせ、登録者に要求されるスキル低減も目的としている。
また、検索キーは名称・略称・グループ名等であり、登録者が直感的に入力しやすい表現データとしている。たとえば、検索キーとして、“〜郵便局”、“関東地域”、“会社名”等を使用することが可能である。
【００６３】
登録者により直感的にわかりやすい検索キーを利用することで、入力効率向上や登録ミス低減が期待できる。この検索キーは、グループ概念を導入していくつかの検索キーをまとめて表現することもできる。また、条件を設定することで、登録されるものが条件を満たすものだけに限定することができる。
【００６４】
市内特別郵便のような割引を受ける時に、郵便局単位に仕分ける必要がある。
また、郵便局単位に一定数を越えない郵便局については、市内特別郵便扱いとしないため、別の格納先を指定できるようにする。
、予めテーブルとして、郵便局単位に管轄する郵便番号を登録しておく。郵便番号に変更があった時は、このテーブルを変更することで区分指定ファイルに反映させることができる。
【００６５】
また、解を求めるために検索キーを複数指定することが可能で、さらに検索キーに上位、下位の概念を導入することで、登録者により直感的にわかりやすいキーを提供する。さらに、条件によっては求められた解を更に絞り込んで、最終的な解とすることができる。
【００６６】
複数ある郵便番号を登録する時に、郵便番号をそのまま登録せずに、その郵便番号をグループ化したものを登録する。システム上では、グループからそこに属する郵便番号すべてを求める。
この結果は、格納先と郵便番号の組み合わせでテーブルに登録される。
【００６７】
市内特別郵便などの割引を受ける時に、区分指定ファイル上で格納先を指定した上で、登録者が直感的にわかりやすい郵便局名などを登録させる。システム上では郵便番号を求めるために、郵便局名を検索キーとして、郵便局名に対応する郵便番号をテーブルから求める。求められた郵便番号は、システム上に表示されて、最終的に区分指定ファイルに登録される。
【００６８】
また、割引制度は一定通数を越えないと適用されないため、取り扱い物数から郵便局単位に一定通数を超えていない郵便局を特定し、その郵便番号を取り除く。そして、取り除かれた郵便番号は、別に管理された格納先へ反映される。
【００６９】
上記したように、郵便物を仕分けるための区分指定ファイルを作成するとき、登録者が入力するのは郵便番号ではなく、仕分け先を特定する検索キー（地域名）を入力させ、この検索キーをもとにテーブル（必要に応じて複数存在する）から郵便番号を求めることを実現している。これにより、入力効率が向上し、登録データの正確性が向上し、さらに登録者に求められるスキル低減などが期待できる。
【００７０】
【発明の効果】
以上詳述したように、この発明によれば、配達物に記載の配達番号と区分先との関係を記憶する複数の区分指定テーブルを有する区分指定ファイルを備え、区分指定ファイル内の区分指定テーブルが選択されている状態で、配達物に記載の配達番号に基づいて上記区分指定テーブルから読み出される区分先に上記配達物を区分する区分装置に上記区分指定ファイルをインストールするものにおいて、入力効率が向上し、登録データの正確性が向上できる。
【図面の簡単な説明】
【図１】この発明の実施形態を説明するための区分指定ファイルのインストールシステムの概略構成を示す図。
【図２】区分装置コントローラの概略構成を説明するためのブロック図。
【図３】郵便局名テーブルを説明するための図。
【図４】グループ名テーブルを説明するための図。
【図５】会社名テーブルを説明するための図。
【図６】地域名テーブルを説明するための図。
【図７】要素−郵便番号テーブルを説明するための図。
【図８】区分先登録処理を説明するためのフローチャート。
【図９】地域名による区分先登録処理を説明するための状態変化図。
【図１０】郵便局名による区分先登録処理を説明するための状態変化図。
【図１１】郵便局名による区分先登録処理を説明するための状態変化図。
【図１２】郵便局名テーブルを説明するための図。
【図１３】グループ名による区分先登録処理を説明するための状態変化図。
【図１４】郵便局の要素による区分先登録処理を説明するための状態変化図。
【図１５】区分先登録処理を説明するためのフローチャート。
【符号の説明】
１…区分装置、２…区分装置コントローラ、４…供給部、５…取り出し部、６…郵便番号読取部、７…段パス部、８…区分箱、１１…制御部、１３…メモリ、１４…操作パネル。
【図１】
2005040700.tif 000003
【図２】
2005040700.tif 000004
【図３】
2005040700.tif 000005
【図４】
2005040700.tif 000006
【図５】
2005040700.tif 000007
【図６】
2005040700.tif 000008
【図７】
2005040700.tif 000009
【図８】
2005040700.tif 000010
【図９】
2005040700.tif 000011
【図１０】
2005040700.tif 000012
【図１１】
2005040700.tif 000013
【図１２】
2005040700.tif 000014
【図１３】
2005040700.tif 000015
【図１４】
2005040700.tif 000016
【図１５】
2005040700.tif 000017